(57)【要約】【課題】挿入波長の誤接続・誤設定防止機能を備えることにより、挿入波長による通過波長への影響を排除可能な光波長分岐挿入装置を提供する。【解決手段】光合分波器４１２，４２１にて、分岐波長ブロック部７１２，７２１からの通過波長に対して、任意の波長の挿入波長を合波させるか否かを制御する挿入波長制御機能として、任意の波長の通過・遮断機能を有する挿入波長ブロック部８１２，８２１を備えることにより、光波長多重器６１２，６２１から出力されてくる各波長の挿入波長のうち、前記通過波長と同一波長の挿入波長を遮断する。挿入波長ブロック部８１２，８２１の代わりに、任意の波長を可変に減衰させる可変減衰器を配置しても良い。あるいは、挿入波長を出力する各波長毎の光送受信器(ＣＨ1)９１１，９２１，…，（ＣＨｎ）９１ｎ，９２ｎのうち、任意の波長の光送受信器からの出力を許可または停止する光送受信器出力制御手段を備えても良い。【選択図】        図１
2010219729.tif 000002
【特許請求の範囲】
【請求項１】
ｎ波長(ｎ：２以上の整数)の光波長分岐多重機能を有し、任意の波長について再構築可能な分岐挿入機能を有する光波長分岐挿入装置において、通過波長に対して任意の波長の挿入波長を合波させるか否かを制御する挿入波長制御機能を少なくとも備えていることを特徴とする光波長分岐挿入装置。
【請求項２】
前記挿入波長制御機能は、前記通過波長と同一波長の前記挿入波長を当該通過波長と合波させないように制御することを特徴とする請求項１に記載の光波長分岐挿入装置。
【請求項３】
前記挿入波長制御機能として、前記通過波長との合波を行う光合分波手段の前に、任意の波長の挿入波長の透過または遮断を行う挿入波長ブロック手段を備えていることを特徴とする請求項１または２に記載の光波長分岐挿入装置。
【請求項４】
前記挿入波長制御機能として、前記通過波長との合波を行う光合分波手段の前に、任意の波長の挿入波長を可変に減衰させる可変減衰手段を備えていることを特徴とする請求項１または２に記載の光波長分岐挿入装置。
【請求項５】
前記挿入波長制御機能として、前記挿入波長を出力する各波長毎の光送受信器のうち、任意の波長の光送受信器からの出力を許可または停止する光送受信器出力制御手段を備えていることを特徴とする請求項１または２に記載の光波長分岐挿入装置。
【請求項６】
前記挿入波長制御機能として、前記挿入波長を出力する光送受信器の波長を任意に選択して設定する光送受信器選択制御手段を備えていることを特徴とする請求項１または２に記載の光波長分岐挿入装置。
【請求項７】
前記挿入波長制御機能を遠隔から制御する装置制御・管理手段を備えていることを特徴とする請求項１ないし６のいずれかに記載の光波長分岐挿入装置。
【請求項８】
前記装置制御・管理手段は、前記挿入波長制御機能を波長毎に制御するための制御情報をあらかじめ任意に登録している制御情報テーブルを備えていることを特徴とする請求項７に記載の光波長分岐挿入装置。
【請求項９】
ｎ波長(ｎ：２以上の整数)の光波長を高密度に分割多重して伝送する光波長分割多重伝送システムにおいて、当該光波長分割多重伝送システムを構成する光波長分岐挿入装置として、請求項１ないし８のいずれかに記載の光波長分岐挿入装置を用いることを特徴とする光波長分割多重伝送システム。
【発明の詳細な説明】
【技術分野】
【０００１】
本発明は、光波長分岐挿入装置および光波長分割多重伝送システムに関する。
【背景技術】
【０００２】
光波長を高密度に分割多重して伝送する従来のＤＷＤＭ（Dense  Wavelength  Division  Multiplexing：光波長分割多重）伝送システムについて、図１１を参照して説明する。図１１は、特許文献１の特開２００５−２８６７２１号公報「光波長挿入分岐装置」と同様の構成を有する従来の光波長分岐挿入装置すなわちＲＯＡＤＭ(Reconfigurable  optical  Add  Drop  Multiplexer：再構成可能光挿入／分岐波長多重化）端局装置の装置構成を示す装置構成図であり、ＷＥＳＴ方向とＥＡＳＴ方向との方路１⇔方路２方向または方路３⇔方路４方向の２方路のうち、ＥＡＳＴ方向のＲＯＡＤＭ端局装置と対向している部分について示している。かかるＲＯＡＤＭ端局装置を複数相互に接続することによって、ＤＷＤＭ伝送システムを構成している。
【０００３】
図１１に示すように、従来のＲＯＡＤＭ端局装置のＥＡＳＴ方向対向部は、装置制御・管理部１０、波長モニタ部２０の他に、受信増幅部（ＲＸ−ＡＭＰ部）１２１、送信増幅部（ＴＸ−ＡＭＰ部）２１２、光合分波器３２１，４１２、光波長分離器５２１、光波長多重器６１２、分岐波長ブロック部７１２、光送受信器(ＣＨ１)９２１、…、光送受信器(ＣＨｎ)９２ｎを備えて構成されている。
【０００４】
次に、ＲＯＡＤＭ端局装置（Ｂ）のＥＡＳＴ方向→ＷＥＳＴ方向の光信号の流れについて説明する。ＲＯＡＤＭ端局装置（Ｂ）は、ＥＡＳＴ方向の光ファイバ伝送路からの主信号を、光増幅機能を有する受信増幅部（ＲＸ−ＡＭＰ部）１２１にて受信し、光増幅を行い、ＲＯＡＤＭ端局装置（Ｂ）内部のＥＡＳＴ方向に出力する。受信増幅部（ＲＸ−ＡＭＰ部）１２１の出力には光合分波器３２１が接続されており、分岐波長と通過波長との分波を行う。
【０００５】
光合分波器３２１にて分岐方向に分波された主信号は、光波長分離器５２１にて、個別波長(ＣＨ番号)に分波され、個別波長毎の光送受信器(ＣＨ１)９２１、…、光送受信器(ＣＨｎ)９２ｎにて受信される。一方、光合分波器３２１にて通過方向に分岐された主信号は、ＷＥＳＴ方向への出力信号として、任意の波長の透過／遮断機能を有する分岐波長ブロック部（図示していない）に出力され、任意の分岐波長がブロックされる。
【０００６】
次に、ＲＯＡＤＭ端局装置（Ｂ）のＷＥＳＴ方向→ＥＡＳＴ方向の光信号の流れについて説明する。前述したＷＥＳＴ方向への出力信号とは逆方向のＷＥＳＴ方向からの入力信号は、同様に、任意の波長の透過／遮断機能を有する分岐波長ブロック部７１２に入力されて、分岐波長がブロックされる。しかる後、光合分波器４１２にて、光波長多重器６１２から出力される挿入波長の合波が行われ、光増幅機能を有する送信増幅部（ＴＸ−ＡＭＰ部）２１２に出力される。なお、分岐波長ブロック部７１２における波長毎の透過／遮断に関する制御は、装置制御・管理部１０により設定される。
【０００７】
また、光合分波器４１２にて合波される挿入波長は、個別波長毎の光送受信器(ＣＨ１)９２１、…、光送受信器(ＣＨｎ)９２ｎから出力され、光波長多重器６１２にて、光波長多重が行われ、光合分波器４１２によって、分岐波長ブロック部７１２からの通過波長と合波される。なお、光送受信器(ＣＨ１)９２１、…、光送受信器(ＣＨｎ)９２ｎの出力波長に関する制御は、装置制御・管理部１０により設定される。
【０００８】
送信増幅部（ＴＸ−ＡＭＰ部）２１２にて光増幅された主信号は、ＥＡＳＴ方向の光ファイバ伝送路に出力され、対向して配置されているＲＯＡＤＭ端局装置に向かって出力される。
【先行技術文献】
【特許文献】
【０００９】
【特許文献１】特開２００５-２８６７２１号公報（第８−１１頁）
【発明の概要】
【発明が解決しようとする課題】
【００１０】
しかしながら、従来のＤＷＤＭ伝送システムでは、ＲＯＡＤＭ端局装置において、光パッチコードの誤接続や送受信器の送信波長設定ミスにより、通過波長と同一波長の挿入波長が挿入された場合、合波後に通過波長と挿入波長の間で干渉が発生し、主信号に障害を与えるため、次のような課題がある。
【００１１】
第１の課題は、光パッチコードの誤接続や光送受信器の送信波長の設定ミスにより、通過波長と同一波長の挿入波長が入力された場合、合波されてしまう事態を防止することができないことである。
【００１２】
第２の課題は、同一波長の通過波長と挿入波長とが合波後に干渉して発生する主信号への障害を防止することができないことである。
【００１３】
第３の課題は、挿入波長の透過／遮断を遠隔から設定することができないことである。
【００１４】
第４の課題は、任意の波長の分岐／挿入→通過、または、通過→分岐／挿入の構成変更の際に、必ず、現地に行って、挿入波長のための光送受信器の追加、光パッチコードの接続を行わなければならないことである。
【００１５】
本発明は、かかる課題に鑑みてなされたものであり、その目的とするところは、挿入波長の誤接続・誤設定防止機能を挿入波長制御機能として備えることにより、挿入波長による通過波長への影響を排除可能な光波長分岐挿入装置および光波長分割多重伝送システムを提供することにある。
【課題を解決するための手段】
【００１６】
前述の課題を解決するため、本発明による光波長分岐挿入装置は、次のような特徴的な構成を採用している。
【００１７】
（１）ｎ波長(ｎ：２以上の整数)の光波長分岐多重機能を有し、任意の波長について再構築可能な分岐挿入機能を有する光波長分岐挿入装置において、通過波長に対して任意の波長の挿入波長を合波させるか否かを制御する挿入波長制御機能を少なくとも備えている光波長分岐挿入装置。
【発明の効果】
【００１８】
本発明の光波長分岐挿入装置および光波長分割多重伝送システムによれば、以下のような効果を奏することができる。
【００１９】
通過波長に対して任意の波長の挿入波長を合波させるか否かを制御する挿入波長制御機能を備えることにより、通過波長と同一波長の挿入波長を遮断することが可能となり、誤って、通過波長と同一波長が挿入波長として入力された場合であっても、挿入波長を遮断し、通過波長により伝送される主信号への障害を防止することが可能となる。而して、光パッチコードの誤接続や光送受信器の送信波長の設定ミス等により、通過波長と同一波長が挿入波長として入力された場合に、合波後に通過波長と挿入波長の干渉が発生し、主信号の受信側ＲＯＡＤＭ端局装置で主信号の障害が発生するという従来の課題を確実に回避することができる。
【図面の簡単な説明】
【００２０】
【図１】本発明に係る光波長分岐挿入装置すなわちＲＯＡＤＭ端局装置の装置構成の一例を示す装置構成図である。
【図２】図１に示す光波長分岐挿入装置すなわちＲＯＡＤＭ端局装置の装置構成を説明するための説明図である。
【図３】図１１に示す従来の光波長分岐挿入装置すなわちＲＯＡＤＭ端局装置において、光パッチコードの誤接続や光送受信器の送信波長の設定ミスがあった場合の光信号の流れについて説明するための説明図である。
【図４】図１に示す本発明による光波長分岐挿入装置すなわちＲＯＡＤＭ端局装置において、光パッチコードの誤接続や光送受信器の送信波長の設定ミスがあった場合の光信号の流れについて説明するための説明図である。
【図５】本発明に係る光波長分岐挿入装置すなわちＲＯＡＤＭ端局装置の装置構成の他の例を示す装置構成図である。
【図６】本発明に係る光波長分岐挿入装置すなわちＲＯＡＤＭ端局装置の装置構成のさらに異なる例を示す装置構成図である。
【図７】本発明の一例を示す図１の光波長分岐挿入装置すなわちＲＯＡＤＭ端局装置の装置制御・管理部に保有される分岐波長制御情報テーブルの構成例を示すテーブルである。
【図８】本発明の一例を示す図１の光波長分岐挿入装置すなわちＲＯＡＤＭ端局装置の装置制御・管理部に保有される挿入波長制御情報テーブルの構成例を示すテーブルである。
【図９】本発明の一例を示す図６の光波長分岐挿入装置すなわちＲＯＡＤＭ端局装置の装置制御・管理部に保有される光送受信器出力制御情報テーブルの構成例を示すテーブルである。
【図１０】本発明の一例を示す図６の光波長分岐挿入装置すなわちＲＯＡＤＭ端局装置の装置制御・管理部に保有される光送受信器選択制御情報テーブルの構成例を示すテーブルである。
【図１１】従来の光波長分岐挿入装置すなわちＲＯＡＤＭ端局装置の装置構成を示す装置構成図である。
【発明を実施するための形態】
【００２１】
以下、本発明による光波長分岐挿入装置および光波長分割多重伝送システムの好適な実施形態について添付図を参照して説明する。
【００２２】
（本発明の特徴）
本発明の実施形態の説明に先立って、本発明の特徴についてその概要をまず説明する。本発明は、ｎ波長(ｎ:ｎ≧２を満たす整数)の光波長分割多重機能を有する一般的なＤＷＤＭ（Dense  Wavelength  Division  Multiplexing）伝送システム（つまり、ｎ波長の光波長を高密度に分割多重して伝送する光波長分割多重伝送システム）において用いられる任意の波長について再構築可能な分岐挿入機能を有する光波長分岐挿入装置すなわちＲＯＡＤＭ(Reconfigurable  optical  Add  Drop  Multiplexer)端局装置において、通過波長に対して任意の波長の挿入波長を合波させるか否かを制御する挿入波長制御機能として、例えば任意の波長の挿入波長の透過／遮断機能を有する挿入波長ブロック部を備えることによって、光パッチコードの誤接続や光送受信器の送信波長の設定ミス等により、同一波長の通過波長と挿入波長とが干渉することを防止し、合波後の主信号の障害の発生を防止することを特徴としている。
【００２３】
（実施形態の構成）
図１は、本発明に係る光波長分岐挿入装置すなわちＲＯＡＤＭ端局装置の装置構成の一例を示す装置構成図であり、ＷＥＳＴ方向に配置されたＲＯＡＤＭ端局装置（Ａ）とＥＡＳＴ方向に配置されたＲＯＡＤＭ端局装置（Ｃ）とのそれぞれと光ファイバ伝送路によって接続されているＲＯＡＤＭ端局装置（Ｂ）の内部構成を示している。つまり、図１において、ＲＯＡＤＭ端局装置（Ｂ）はＷＥＳＴ方向に接続されたＲＯＡＤＭ端局装置（Ａ）およびＥＡＳＴ方向に接続されたＲＯＡＤＭ端局装置（Ｃ）により、ＲＯＡＤＭ機能を有するＤＷＤＭ伝送システムを構成している。なお、ＲＯＡＤＭ端局装置（Ａ）およびＲＯＡＤＭ端局装置（Ｃ）についても、それぞれの内部構成は、ＲＯＡＤＭ端局装置（Ｂ）と同様である。
【００２４】
図１に示す光波長分岐挿入装置すなわちＲＯＡＤＭ端局装置（Ｂ）は、図１１に示す従来の光波長分岐挿入装置と同様、装置制御・管理部１０、波長モニタ部２０の他に、ＲＯＡＤＭ端局装置（Ｃ）と対向するＥＡＳＴ方向対向部は、受信増幅部（ＲＸ−ＡＭＰ部）１２１、送信増幅部（ＴＸ−ＡＭＰ部）２１２、光合分波器３２１，４１２、光波長分離器５２１、光波長多重器６１２、分岐波長ブロック部７１２、光送受信器(ＣＨ１)９２１、…、光送受信器(ＣＨｎ)９２ｎを備え、さらに、通過波長に対して任意の波長の挿入波長を合波させるか否かを制御する挿入波長制御機能として、挿入波長ブロック部８１２を備えている。
【００２５】
一方、ＲＯＡＤＭ端局装置（Ａ）と対向するＷＥＳＴ方向対向部についても、同様に、受信増幅部（ＲＸ−ＡＭＰ部）１１２、送信増幅部（ＴＸ−ＡＭＰ部）２２１、光合分波器３１２，４２１、光波長分離器５１２、光波長多重器６２１、分岐波長ブロック部７２１、光送受信器(ＣＨ１)９１１、…、光送受信器(ＣＨｎ)９１ｎを備え、さらに、通過波長に対して任意の波長の挿入波長を合波させるか否かを制御する挿入波長制御機能として、挿入波長ブロック部８２１を備えている。
【００２６】
次に、ＲＯＡＤＭ端局装置（Ｂ）のＷＥＳＴ方向→ＥＡＳＴ方向の光信号の流れについてさらに説明する。ＲＯＡＤＭ端局装置（Ｂ）は、ＷＥＳＴ方向の光ファイバ伝送路からの主信号を、光増幅機能を有する受信増幅部（ＲＸ−ＡＭＰ部）１１２にて受信し、光増幅を行い、ＲＯＡＤＭ端局装置（Ｂ）内部のＥＡＳＴ方向に出力する。受信増幅部（ＲＸ−ＡＭＰ部）１１２の出力には光合分波器３１２が接続されており、分岐波長と通過波長との分波を行う。
【００２７】
光合分波器３１２にて分岐方向に分波された主信号は、光波長分離器５１２にて、個別波長(ＣＨ番号)に分波され、個別波長毎の光送受信器(ＣＨ１)９１１、…、光送受信器(ＣＨｎ)９１ｎにて受信される。
【００２８】
一方、光合分波器３１２にて通過方向に分岐された主信号は、任意の波長の透過／遮断機能を有する分岐波長ブロック部７１２に出力され、分岐波長がブロックされた後、光合分波器４１２にて、挿入波長ブロック部８１２を介して光波長多重器６１２から出力される挿入波長の合波が行われ、光増幅機能を有する送信増幅部（ＴＸ−ＡＭＰ部）２１２に出力される。なお、分岐波長ブロック部７１２における波長毎の透過／遮断に関する制御は、装置制御・管理部１０により設定される。
【００２９】
また、光合分波器４１２にて合波される挿入波長は、個別波長毎の光送受信器(ＣＨ１)９２１、…、光送受信器(ＣＨｎ)９２ｎから出力され、光波長多重器６１２にて、光波長多重が行われ、任意の波長の透過／遮断機能を有する挿入波長ブロック部８１２を経由して、光合分波器４１２によって、分岐波長ブロック部７１２からの通過波長と合波される。なお、光送受信器(ＣＨ１)９２１、…、光送受信器(ＣＨｎ)９２ｎの出力波長に関する制御は、装置制御・管理部１０により設定される。また、挿入波長ブロック部８１２における波長毎の透過／遮断に関する制御についても、装置制御・管理部１０により設定される。
【００３０】
挿入波長ブロック部８１２において、装置制御・管理部１０の制御により、任意に指定した波長の挿入波長を全て遮断するように設定することにより、誤って、通過波長と同一波長が挿入波長として入力しようとする場合であっても、当該挿入波長を遮断し、通過波長により伝送される主信号への障害を防止することが可能となる。
【００３１】
送信増幅部（ＴＸ−ＡＭＰ部）２１２にて光増幅された主信号は、ＥＡＳＴ方向の光ファイバ伝送路に出力され、対向して配置されているＲＯＡＤＭ端局装置（Ｃ）に出力される。
【００３２】
波長モニタ部２０は、光波長多重された信号中の個別の波長毎の光レベルをモニタする機能を有し、受信増幅部（ＲＸ−ＡＭＰ部）１１２、送信増幅部（ＴＸ−ＡＭＰ部）２１２、受信増幅部（ＲＸ−ＡＭＰ部）１２１および送信増幅部（ＴＸ−ＡＭＰ部）２２１それぞれの出力をモニタすることによって、個別波長の光レベルを検出し、警報監視(ＯＳＣ制御情報の生成、該ＯＳＣ制御情報の対向装置との送受信等)を行う。
【００３３】
以上、ＲＯＡＤＭ端局装置（Ｂ）のＷＥＳＴ方向→ＥＡＳＴ方向の光信号の流れについて説明したが、ＲＯＡＤＭ端局装置（Ｂ）のＥＡＳＴ方向→ＷＥＳＴ方向の光信号の流れについても、ＷＥＳＴ方向→ＥＡＳＴ方向の場合と全く同様であり、ここでの重複する説明は省略する。
【００３４】
次に、図１のＲＯＡＤＭ端局装置（Ｂ）の装置構成について、ＥＡＳＴ方向のＲＯＡＤＭ端局装置と対向している部分に着目して、図２を用いてさらに説明する。なお、ここでは、ＥＡＳＴ方向のＲＯＡＤＭ端局装置（Ｃ）との対向部分について説明するが、ＷＥＳＴ方向のＲＯＡＤＭ端局装置（Ａ）との対向部分についても、全く同様である。図２は、図１に示す光波長分岐挿入装置すなわちＲＯＡＤＭ端局装置の装置構成を説明するための説明図であり、本発明の一実施形態として、ＲＯＡＤＭ端局装置を用いたＤＷＤＭ伝送システムにおいて、分岐挿入機能および挿入波長遮断機能を実現するためのＲＯＡＤＭ端局装置の構成例を示している。
【００３５】
図２において、ＷＥＳＴ方向からの入力信号は、分岐波長ブロック部７１２に入力される。分岐波長ブロック部７１２は、前述のように、任意の波長の透過／遮断機能を有し、装置制御・管理部１０からの分岐波長ブロック制御の設定により、分岐波長を遮断し、通過波長を透過させる。
【００３６】
一方、光送受信器(ＣＨ１)９２１、…、光送受信器(ＣＨｎ)９２ｎは、光パッチコードにより、光波長多重器６１２と接続され、装置制御・管理部１０から設定される波長を出力する。挿入波長は、光送受信器(ＣＨ１)９２１、…、光送受信器(ＣＨｎ)９２ｎから出力され、光波長多重器６１２によって光波長多重が行われた後、挿入波長ブロック部８１２を経由して、光合分波器４１２に入力され、光合分波器４１２にて、分岐波長ブロック部７１２からの通過波長と合波される。
【００３７】
ここで、装置制御・管理部１０は、図７に示すような各ＣＨ番号に対する分岐波長制御情報テーブル１１を保有しており、該分岐波長制御情報テーブル１１に設定されている制御情報に従って、分岐波長ブロック部７１２を通過する各波長の透過／遮断を設定する。
【００３８】
図７は、本発明の一例を示す図１の光波長分岐挿入装置すなわちＲＯＡＤＭ端局装置の装置制御・管理部１０に保有される分岐波長制御情報テーブル１１の構成例を示すテーブルであり、ＣＨ番号１１ａ、方向１１ｂ、分岐／挿入／通過種別１１ｃ、分岐／挿入する対象の光送受信器を登録する送受信器登録情報１１ｄに関する情報が設定されている。
【００３９】
図７に示す例では、分岐／挿入／通過種別１１ｃに示すように、ＣＨ番号１１ａに示すＣＨ１について、ＷＥＳＴ方向、ＥＡＳＴ方向とも、分岐／挿入を行い、対象の光送受信器が、ＷＥＳＴ方向が光送受信器Ｗ１つまり光送受信器（ＣＨ１）９１１、ＥＡＳＴ方向が光送受信器Ｅ１つまり光送受信器（ＣＨ１）９２１である旨が設定されており、その他のＣＨ番号については、通過するように設定されている。
【００４０】
図７のような制御がなされる場合は、装置制御・管理部１０の挿入波長ブロック部８１２に対する制御信号としては、ＣＨ１の光波長を通過させることを可能とするが、その他のＣＨ番号の光波長については、ブロックするように設定する必要がある。
【００４１】
次に、図３を用いて、図１１に示す従来の光波長分岐挿入装置すなわちＲＯＡＤＭ端局装置において、光パッチコードの誤接続や光送受信器の送信波長の設定ミスがあった場合について説明する。図３は、図１１に示す従来の光波長分岐挿入装置すなわちＲＯＡＤＭ端局装置において、光パッチコードの誤接続や光送受信器の送信波長の設定ミスがあった場合の光信号の流れについて説明するための説明図である。
【００４２】
図３において、分岐波長ブロック部７１２にて、ＣＨ１の分岐信号のみをブロックし、その他のＣＨ番号の光信号を光合分波器４１２に向かって透過させるように装置制御・管理部１０からの制御情報により制御している場合とする。かかる制御を行っているにも関わらず、光パッチコードの誤接続や光送受信器の送信波長の設定ミス等により、光送受信器(ＣＨ１)９２１、…、光送受信器(ＣＨｎ)９２ｎのうち、ＣＨｎの通過波長と同一波長の光送受信器(ＣＨｎ)９２ｎの挿入波長が光合分波器４１２にて挿入されて合波されてしまった場合、光合分波器４１２における合波後に、通過波長と挿入波長との干渉が発生し、送信増幅部（ＴＸ−ＡＭＰ部）２１２、光ファイバ伝送路を経由して、主信号を受信するＥＡＳＴ方向の対向装置つまりＲＯＡＤＭ端局装置（Ｃ）において、主信号の障害が発生することになる。
【００４３】
次に、図４を用いて、図１に示す本発明による光波長分岐挿入装置すなわちＲＯＡＤＭ端局装置において、光パッチコードの誤接続や光送受信器の送信波長の設定ミスがあった場合について説明する。図４は、図１に示す本発明による光波長分岐挿入装置すなわちＲＯＡＤＭ端局装置において、光パッチコードの誤接続や光送受信器の送信波長の設定ミスがあった場合の光信号の流れについて説明するための説明図である。
【００４４】
図４において、図７に示すように、分岐波長ブロック部７１２にて、ＣＨ１の分岐信号のみをブロックし、その他のＣＨ番号の分岐信号を光合分波器４１２に向かって透過させるように装置制御・管理部１０からの制御情報により制御している場合とする。かかる場合において、光パッチコードの誤接続や光送受信器の送信波長の設定ミス等により、光送受信器(ＣＨ１)９２１、…、光送受信器(ＣＨｎ)９２ｎのうち、ＣＨｎの通過波長と同一波長の光送受信器(ＣＨｎ)９２ｎの挿入波長が光合分波器４１２にて挿入されようとしている場合であっても、図８の挿入波長制御情報テーブル１２として、挿入波長ブロック部８１２にて、光送受信器(ＣＨｎ)９２ｎの挿入波長(ＣＨｎ)を遮断するように設定することが可能である。
【００４５】
装置制御・管理部１０は、図８に示すような各ＣＨ番号に対する挿入波長制御情報テーブル１２を保有しており、該挿入波長制御情報テーブル１２に設定されている制御情報に従って、挿入波長ブロック部８１２を通過する各波長の透過／遮断を設定する。
【００４６】
図８は、本発明の一例を示す図１の光波長分岐挿入装置すなわちＲＯＡＤＭ端局装置の装置制御・管理部１０に保有される挿入波長制御情報テーブル１２の構成例を示すテーブルであり、ＣＨ番号１２ａ、方向１２ｂ、分岐／挿入／通過種別１２ｃ、分岐／挿入する対象の光送受信器を登録する送受信器登録情報１２ｄ、挿入波長ブロック部８１２の制御内容を示す挿入波長ブロック制御情報１２ｅに関する情報が設定されている。
【００４７】
図８に示す例では、図７に示す分岐波長制御情報テーブル１１に対応して、分岐／挿入／通過種別１２ｃに示すように、ＣＨ番号１２ａに示すＣＨ１について、ＷＥＳＴ方向、ＥＡＳＴ方向とも、分岐／挿入を行い、対象の光送受信器が、ＷＥＳＴ方向が光送受信器Ｗ１つまり光送受信器（ＣＨ１）９１１、ＥＡＳＴ方向が光送受信器Ｅ１つまり光送受信器（ＣＨ１）９１１である旨が設定されており、その他のＣＨ番号については、通過するように設定されている。
【００４８】
また、光パッチコードの誤接続や光送受信器の送信波長の設定ミス等により、ＷＥＳＴ方向の光合分波器４２１に挿入しようとしている光送受信器(ＣＨｎ)９１ｎの挿入波長やＥＡＳＴ方向の光合分波器４１２に挿入しようとしている光送受信器(ＣＨｎ)９２ｎの挿入波長を遮断するために、挿入波長ブロック制御情報１２ｅには、他のＣＨ番号の“透過”とは異なり、“遮断”が設定されている。
【００４９】
装置制御・管理部１０は、図８の波長制御情報テーブル１２の制御情報に基づいて、挿入波長ブロック部８１２,８２１にて挿入波長(ＣＨｎ)を遮断するように制御することにより、光合分波器４１２,４２１にて通過波長(ＣＨｎ)に対して挿入波長(ＣＨｎ)が干渉することを防止することができる。
【００５０】
以上、本発明の一例を示す図１の光波長分岐挿入装置すなわちＲＯＡＤＭ端局装置についてその構成を詳細に説明したが、図１の光波長多重器６１２，６２１、光波長分離器５１２，５２１、光合分波器３１２，３２１，４１２，４２１、受信増幅部（ＲＸ−ＡＭＰ部）１１２，１２１、および、送信増幅部（ＴＸ−ＡＭＰ部）２１２，２２１のそれぞれは、当業者にとってよく知られている回路であり、また、本発明とは直接関係しないので、ここでは、それらの詳細な構成に関する説明は省略する。
（実施形態の動作の説明）
【００５１】
図２、図４の説明図、図７、図８の制御情報テーブルを用いて、図１に示す本実施形態の光波長分岐挿入装置すなわちＲＯＡＤＭ端局装置のＷＥＳＴ方向→ＥＡＳＴ方向の光信号に関する動作例についてさらに以下に説明する。
【００５２】
（１）まず、装置制御・管理部１０は、ユーザからの設定に伴い、分岐波長ブロック部７１２，７２１、および、挿入波長ブロック部８１２，８２１における各ＣＨ番号に対する分岐／挿入／通過に関する制御情報を生成して、図７の分岐波長制御情報テーブル１１および図８の挿入波長制御情報テーブル１２に設定する。
（２）しかる後、図２において、ＷＥＳＴ方向からの入力信号が分岐波長ブロック部７１２に入力される。
【００５３】
（３)装置制御・管理部１０は、図７の分岐波長制御情報テーブル１１に設定されている制御情報に従って、分岐波長ブロック部７１２に入力される各波長の透過／遮断状態を設定する。なお、装置制御・管理部１０が分岐波長ブロック部７１２の制御を行うための制御情報つまり図７の分岐波長制御情報テーブル１１の制御情報を、遠隔から任意に設定することも可能である。
（４)分岐波長ブロック部７１２は、装置制御・管理部１０からの各波長の透過／遮断状態の設定に従って、各ＣＨ番号毎の各分岐波長を遮断し、通過波長を透過させる動作を行う。
【００５４】
（５)分岐波長ブロック部７１２からの通過波長は、挿入波長を合波するための光合分波器４１２に入力される。
（６)光送受信器(ＣＨ１)９２１、…、光送受信器(ＣＨｎ)９２ｎは、装置制御・管理部１０から設定されたＣＨ番号の光波長を出力している。なお、装置制御・管理部１０が光送受信器(ＣＨ１)９２１、…、光送受信器(ＣＨｎ)９２ｎの光波長の出力を制御するための制御情報を、遠隔から任意に設定することも可能である。
【００５５】
（７)光送受信器(ＣＨ１)９２１、…、光送受信器(ＣＨｎ)９２ｎからそれぞれ出力された光波長は、光パッチコードによって接続されている光波長多重器６１２に入力され、光波長多重される。
【００５６】
（８)光波長多重された光信号は、挿入波長として、挿入波長ブロック部８１２を経由して、光合分波器４１２に入力され、光合分波器４１２にて、分岐波長ブロック部７１２からの通過波長と合波される。
【００５７】
（９)ここで、図３に示す従来の光波長分岐挿入装置すなわちＲＯＡＤＭ端局装置のように、挿入波長ブロック部８１２を用いていない場合には、前述したように、光パッチコードの誤接続や光送受信器(ＣＨ１)９２１、…、光送受信器(ＣＨｎ)９２ｎの送信波長の設定ミス等により、分岐波長ブロック部７１２からの通過波長(ＣＨｎ)に対して、同一波長の挿入波長(ＣＨｎ)が挿入波長ブロック部８１２を経由して挿入されてしまった場合には、光合分波器４１２にて合波した後、通過波長と挿入波長との干渉が発生する。
【００５８】
（１０)前項の（９）のように、通過するＲＯＡＤＭ端局において、通過波長（ＣＨｎ）と挿入波長（ＣＨｎ）との干渉が発生した場合、ＥＡＳＴ方向に配置させている受信側のＲＯＡＤＭ端局装置において、分岐波長ブロック部７１２からの通過波長（ＣＨｎ）として伝送されている主信号の障害が発生することになる。
【００５９】
（１１）これに対して、本発明の一例を示す図１の光波長分岐挿入装置すなわちＲＯＡＤＭ端局装置のように、挿入波長ブロック部８１２を用いている場合には、装置制御・管理部１０は、図８の挿入波長制御情報テーブル１２に従って、挿入波長ブロック部８１２に対して、光パッチコードの誤接続や光送受信器(ＣＨ１)９２１、…、光送受信器(ＣＨｎ)９２ｎの送信波長の設定ミス等により、誤って入力される挿入波長(ＣＨｎ)の遮断を設定することができる。なお、装置制御・管理部１０が挿入波長ブロック部８１２の制御を行うための制御情報つまり図８の挿入波長制御情報テーブル１２の制御情報を、遠隔から任意に設定することも可能である。
【００６０】
（１２）したがって、図４に示すように、たとえ、挿入波長(ＣＨｎ)が誤って光合分波器４１２に挿入されそうになっても、通過波長に対して任意の波長の挿入波長を合波させるか否かを制御する挿入波長制御機能として配置した挿入波長ブロック部８１２によって、誤って入力される挿入波長(ＣＨｎ)を遮断し、光合分波器４１２における合波後に、通過波長(ＣＨｎ)と挿入波長(ＣＨｎ)とが干渉することを防止することができる。
【００６１】
（実施形態の効果の説明）
以上に詳細に説明したように、本実施形態においては、以下に記載するような効果を奏することができる。
【００６２】
第１の効果は、通過波長に対して任意の波長の挿入波長を合波させるか否かを制御する挿入波長制御機能として、任意の波長の透過／遮断機能を有する挿入波長ブロック部８１２，８２１を配置することにより、通過波長と同一波長の挿入波長が誤って光合分波器４１２，４２１に挿入されそうになる場合であっても、該通過波長と同一波長の該挿入波長を遮断することが可能となり、誤って、通過波長と同一波長の挿入波長が合波されることを防止することができることである。
【００６３】
第２の効果は、第１の効果に説明したように、光合分波器４１２，４２１に誤って挿入波長が入力されることを防止するので、光合分波器４１２，４２１において同一波長の通過波長と挿入波長とが合波後に干渉して発生するような主信号への障害を防止することができることである。
【００６４】
第３の効果は、挿入波長ブロック部８１２，８２１における挿入波長の透過／遮断を、装置制御・管理部１０を経由して、遠隔から設定することができることである。
【００６５】
第４の効果は、光送受信器(ＣＨ１)９１１、…、光送受信器(ＣＨｎ)９１ｎと光波長多重器６２１および光波長分離器５１２との間、光送受信器(ＣＨ１)９２１、…、光送受信器(ＣＨｎ)９２ｎと光波長多重器６１２および光波長分離器５２１との間を光パッチコードによってあらかじめ接続しておき、分岐波長や挿入波長を適切に通過／遮断させることが可能な状態に設定しておけば、例えば分岐波長制御情報テーブル１１や挿入波長制御情報テーブル１２の制御情報を遠隔から適宜設定変更することにより、分岐波長ブロック部７１２，７２１、挿入波長ブロック部８１２，８２１の設定を遠隔から適宜変更することを可能としており、当該光波長分岐挿入装置すなわちＲＯＡＤＭ端局装置が設置されている現地に出向くことなく、任意の波長の分岐／挿入→通過、または、通過→分岐／挿入の構成変更を行うことができることである。
【００６６】
（本発明の他の実施形態）
本発明の他の実施形態として、その基本的構成は、前述の実施形態の場合の通りであるが、挿入波長の透過／遮断方法について工夫している他の例を説明する。
【００６７】
まず、他の実施形態として、図５に示す光波長分岐挿入装置すなわちＲＯＡＤＭ端局装置の構成においては、図１の光波長分岐挿入装置すなわちＲＯＡＤＭ端局装置における挿入波長ブロック部８１２，８２１の代わりに、可変減衰器(ＣＨ１)１０１１，１０２１、…、可変減衰器(ＣＨｎ)１０１ｎ，１０２ｎを、挿入波長制御機能として用いている。図５は、本発明に係る光波長分岐挿入装置すなわちＲＯＡＤＭ端局装置の装置構成の他の例を示す装置構成図であり、光波長多重器６１２，６２１に個別波長毎に可変減衰器(ＣＨ１)１０１１，１０２１、…、可変減衰器(ＣＨｎ)１０１ｎ，１０２ｎを組み合わせて、装置制御・管理部１０からそれぞれの減衰量を任意に設定することにより、挿入波長の透過／遮断の機能を実現する例を示している。
【００６８】
図５において、可変減衰器(ＣＨ１)１０１１、…、可変減衰器(ＣＨｎ)１０１ｎは、光送受信器(ＣＨ１)９２１、…、光送受信器(ＣＨｎ)９２ｎそれぞれの出力レベルを減衰させて、挿入波長として光波長多重器６１２に対して出力する。また、可変減衰器(ＣＨ１)１０２１、…、可変減衰器(ＣＨｎ)１０２ｎは、光送受信器(ＣＨ１)９１１、…、光送受信器(ＣＨｎ)９１ｎそれぞれの出力レベルを減衰させて、挿入波長として光波長多重器６２１に対して出力する。つまり、通過波長（ＣＨｎ）と同一の波長の挿入波長（ＣＨｎ）が光波長多重器６１２，６２１に出力されないように、可変減衰器(ＣＨ１)１０１１、…、可変減衰器(ＣＨｎ)１０１ｎ、または、可変減衰器(ＣＨ１)１０２１、…、可変減衰器(ＣＨｎ)１０２ｎのうち、当該挿入波長（ＣＨｎ）に該当する可変減衰器(ＣＨｎ)１０１ｎ，１０２ｎの減衰量を大きい値に設定することによって、光合分波器４１２,４２１にて通過波長(ＣＨｎ)に対して同一波長の挿入波長(ＣＨｎ)が合波されることを防止し、而して、合波後に、主信号に影響を及ぼさない形で挿入波長の透過／遮断の機能を実現することができる。
【００６９】
また、図６に示すように、挿入波長制御機能として、光送受信器(ＣＨ１)９１１、…、光送受信器(ＣＨｎ)９１ｎや光送受信器(ＣＨ１)９２１、…、光送受信器(ＣＨｎ)９２ｎに個別波長の出力許可／出力停止機能を備え、図９の光送受信器出力制御情報テーブルに従って、装置制御・管理部１０から制御することにより、挿入波長の透過／遮断の機能を実現するようにしても良い。図６は、本発明に係る光波長分岐挿入装置すなわちＲＯＡＤＭ端局装置の装置構成のさらに異なる例を示す装置構成図であり、通過波長と合波させる挿入波長の出力を制御するために、各波長毎の光送受信器の出力を制御する例を示している。
【００７０】
図６において、装置制御・管理部１０は、図９に示すような各ＣＨ番号に対する光送受信器出力制御情報テーブル１３を保有しており、該光送受信器出力制御情報テーブル１３に設定されている制御情報に従って、光送受信器(ＣＨ１)９１１、…、光送受信器(ＣＨｎ)９１ｎや光送受信器(ＣＨ１)９２１、…、光送受信器(ＣＨｎ)９２ｎからの各波長の出力許可／出力停止を設定する。
【００７１】
図９は、本発明の一例を示す図６の光波長分岐挿入装置すなわちＲＯＡＤＭ端局装置の装置制御・管理部１０に保有される光送受信器出力制御情報テーブル１３の構成例を示すテーブルであり、ＣＨ番号１３ａ、方向１３ｂ、分岐／挿入／通過種別１３ｃ、分岐／挿入する対象の光送受信器を登録する送受信器登録情報１３ｄ、光送受信器(ＣＨ１)９１１、…、光送受信器(ＣＨｎ)９１ｎや光送受信器(ＣＨ１)９２１、…、光送受信器(ＣＨｎ)９２ｎの出力許可／出力停止を示す出力停止制御情報１３ｅに関する情報が設定されている。
【００７２】
図９に示す例では、分岐／挿入／通過種別１３ｃに示すように、ＣＨ番号１３ａに示すＣＨ１について、ＷＥＳＴ方向、ＥＡＳＴ方向とも、分岐／挿入を行い、対象の光送受信器が、ＷＥＳＴ方向が光送受信器Ｗ１つまり光送受信器（ＣＨ１）９１１、ＥＡＳＴ方向が光送受信器Ｅ１つまり光送受信器（ＣＨ１）９２１である旨が設定されており、その他のＣＨ番号については、通過するように設定されている。
【００７３】
また、光パッチコードの誤接続や光送受信器の送信波長の設定ミス等により、ＷＥＳＴ方向の光波長多重器６２１から光合分波器４２１に挿入しようとしている挿入波長(ＣＨｎ)の光送受信器(ＣＨｎ)９１ｎからの出力やＥＡＳＴ方向の光波長多重器６１２から光合分波器４１２に挿入しようとしている挿入波長(ＣＨｎ)の光送受信器(ＣＨｎ)９２ｎからの出力を停止するために、出力停止制御情報１３ｅには、他のＣＨ番号の“出力”とは異なり、“停止”が設定されている。
【００７４】
装置制御・管理部１０は、図９の光送受信器出力制御情報テーブル１３の制御情報に基づいて、光波長多重器６１２，６２１から光合分波器４１２，４２１に挿入しようとする波長(ＣＨｎ)の光送受信器（ＣＨｎ）９１ｎ，９２ｎからの出力を停止するように制御することにより、光合分波器４１２,４２１にて通過波長(ＣＨｎ)に対して同一波長の挿入波長(ＣＨｎ)が合波されることを防止することができる。
【００７５】
あるいは、図６のような装置構成において、図９に示す光送受信器出力制御情報テーブル１３の代わりに、図１０に示すような各波長毎の光送受信器への波長設定動作を制御する光送受信器選択制御情報テーブル１４を、挿入波長制御機能として、装置制御・管理部１０に備えるようにして、通過波長と同一の波長を選択して光送受信器を設定することができなくなる機能を組み合わせることにより、通過波長と同一波長の挿入波長が合波されることを防止するようにしても良い。つまり、装置制御・管理部１０は、光送受信器(ＣＨ１)９１１、…、光送受信器(ＣＨｎ)９１ｎや光送受信器(ＣＨ１)９２１、…、光送受信器(ＣＨｎ)９２ｎの光送受信器に設定する波長つまりＣＨ番号を選択する際に、図１０の光送受信器選択制御情報テーブル１４の制御情報に基づいて、波長つまりＣＨ番号を選択することにより、通過波長と同一の波長を光送受信器を設定することができないようにする。
【００７６】
図１０は、本発明の一例を示す図６の光波長分岐挿入装置すなわちＲＯＡＤＭ端局装置の装置制御・管理部１０に保有される光送受信器選択制御情報テーブル１４の構成例を示すテーブルであり、光送受信器１４ａ、方向１４ｂ、ＣＨ番号設定情報１４ｃに関する情報が設定されている。ここで、波長つまりＣＨ番号を選択することが可能なＣＨ番号選択肢１４ｄがあらかじめ設定登録されており、該ＣＨ番号選択肢１４ｄの中からいずれかの波長つまりＣＨ番号を選択して、光送受信器のＣＨ番号としてＣＨ番号設定情報１４ｃに設定することができる。
【００７７】
図１０に示す例では、光送受信器１４ａに示すように、ＣＨ番号（ｎ−１）の波長の光送受信器Ｗ（ｎ−１）つまり光送受信器（ＣＨ（ｎ−１））９１（ｎ−１）、光送受信器Ｅ（ｎ−１）つまり光送受信器（ＣＨ（ｎ−１））９２（ｎ−１）の波長が未登録であるため、ＣＨ番号選択肢１４ｄには、当該波長つまりＣＨ（ｎ−１）の選択が不可であることを示す情報が設定されているとともに、通過波長（ＣＨｎ）と同一波長の光送受信器Ｗｎつまり光送受信器（ＣＨｎ）９１ｎ、光送受信器Ｅｎつまり光送受信器（ＣＨｎ）９２ｎの波長についても、ＣＨ番号選択肢１４ｄには選択不可を示す情報が設定されている。
【００７８】
装置制御・管理部１０は、図１０の光送受信器選択制御情報テーブル１４の制御情報に基づいて、未登録の波長つまりＣＨ番号を選択して光送受信器に設定することができないのみならず、通過波長（ＣＨｎ）と同一の波長についても光送受信器（ＣＨｎ）９１ｎ、光送受信器（ＣＨｎ）９２ｎとして選択して設定することができないので、通過波長（ＣＨｎ）と同一波長(ＣＨｎ)の挿入を遮断することが可能になり、光合分波器４１２,４２１にて通過波長(ＣＨｎ)に対して同一波長の挿入波長(ＣＨｎ)が合波されることを防止することができる。
【００７９】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
（２）前記挿入波長制御機能は、前記通過波長と同一波長の前記挿入波長を当該通過波長と合波させないように制御する上記（１）の光波長分岐挿入装置。
（３）前記挿入波長制御機能として、前記通過波長との合波を行う光合分波手段の前に、任意の波長の挿入波長の透過または遮断を行う挿入波長ブロック手段を備えている上記（１）または（２）の光波長分岐挿入装置。
（４）前記挿入波長制御機能として、前記通過波長との合波を行う光合分波手段の前に、任意の波長の挿入波長を可変に減衰させる可変減衰手段を備えている上記（１）または（２）の光波長分岐挿入装置。
（５）前記挿入波長制御機能として、前記挿入波長を出力する各波長毎の光送受信器のうち、任意の波長の光送受信器からの出力を許可または停止する光送受信器出力制御手段を備えている上記（１）または（２）の光波長分岐挿入装置。
（６）前記挿入波長制御機能として、前記挿入波長を出力する光送受信器の波長を任意に選択して設定する光送受信器選択制御手段を備えている上記（１）または（２）の光波長分岐挿入装置。
（７）前記挿入波長制御機能を遠隔から制御する装置制御・管理手段を備えている上記（１）ないし（６）のいずれかの光波長分岐挿入装置。
（８）前記装置制御・管理手段は、前記挿入波長制御機能を波長毎に制御するための制御情報をあらかじめ任意に登録している制御情報テーブルを備えている上記（７）の光波長分岐挿入装置。
（９）ｎ波長(ｎ：２以上の整数)の光波長を高密度に分割多重して伝送する光波長分割多重伝送システムにおいて、当該光波長分割多重伝送システムを構成する光波長分岐挿入装置として、上記（１）ないし（８）のいずれかの光波長分岐挿入装置を用いる光波長分割多重伝送システム。
【符号の説明】
【００８０】
１０      装置制御・管理部
１１      分岐波長制御情報テーブル
１１ａ    ＣＨ番号
１１ｂ    方向
１１ｃ    分岐／挿入／通過種別
１１ｄ    送受信器登録情報
１２      挿入波長制御情報テーブル
１２ａ    ＣＨ番号
１２ｂ    方向
１２ｃ    分岐／挿入／通過種別
１２ｄ    送受信器登録情報
１２ｅ    挿入波長ブロック制御情報
１３      光送受信器出力制御情報テーブル
１３ａ    ＣＨ番号
１３ｂ    方向
１３ｃ    分岐／挿入／通過種別
１３ｄ    送受信器登録情報
１３ｅ    出力停止制御情報
１４      光送受信器選択制御情報テーブル
１４ａ    光送受信器
１４ｂ    方向
１４ｃ    ＣＨ番号設定情報
１４ｄ    ＣＨ番号選択肢
２０      波長モニタ部
１１２    受信増幅部（ＲＸ−ＡＭＰ部）
１２１    受信増幅部（ＲＸ−ＡＭＰ部）
２１２    送信増幅部（ＴＸ−ＡＭＰ部）
２２１    送信増幅部（ＴＸ−ＡＭＰ部）
３１２    光合分波器
３２１    光合分波器
４１２    光合分波器
４２１    光合分波器
５１２    光波長分離器
５２１    光波長分離器
６１２    光波長多重器
６２１    光波長多重器
７１２    分岐波長ブロック部
８１２    挿入波長ブロック部
８２１    挿入波長ブロック部
９１１，…，９１ｎ    光送受信器
９２１，…，９２ｎ    光送受信器
１０１１，…，１０１ｎ    可変減衰器
１０２１，…，１０２ｎ    可変減衰器
【図１】
2010219729.tif 000003
【図２】
2010219729.tif 000004
【図３】
2010219729.tif 000005
【図４】
2010219729.tif 000006
【図５】
2010219729.tif 000007
【図６】
2010219729.tif 000008
【図７】
2010219729.tif 000009
【図８】
2010219729.tif 000010
【図９】
2010219729.tif 000011
【図１０】
2010219729.tif 000012
【図１１】
2010219729.tif 000013